(57)【要約】【課題】穴あき問題を回答穴の位置を自由に設定して作成すること出来る穴あき問題作成装置の提供。【解決手段】通信ネットワークを介して端末装置から送られてくる穴あき問題を作成すべき原文を、端末装置の操作者別に格納するメモリ、操作者に対して、原文上で、回答穴を設定したい場所を指定するように指示する手段、回答穴を設定すべき場所が指定された場合に、指定された回答穴の原文上での位置を判定する手段、判定された回答穴の位置に基づいて、原文に対して回答穴を設定して問題を作成する問題文加工手段及び、メモリ内に格納された問題文を端末装置に表示させる表示指令手段を有する。【選択図】  図１
2008040350.tif 000002
【特許請求の範囲】
【請求項１】
通信ネットワークを介して複数の端末装置が接続される穴あき問題作成装置において、
通信ネットワークを介して前記端末装置から送られてくる穴あき問題を作成すべき原文を、端末装置の操作者別に格納するメモリ、
前記メモリに原文を登録した操作者に対して、当該原文上で、回答穴を設定したい場所を指定するように前記端末装置を介して指示する、回答穴設置指示手段、
前記端末装置が操作されて前記回答穴を設定すべき場所が指定された場合に、当該原文上で、操作者により指定された回答穴の原文上での位置を判定する回答穴位置判定手段、
前記判定された回答穴の位置に基づいて、原文に対して回答穴を設定して問題を作成すると共に、当該回答穴部分に記載されていた文字を、当該回答穴に対する正解データとしてメモリに前記作成された問題と共に操作者別に格納する、問題文加工手段及び、
前記メモリ内に格納された問題文を前記通信ネットワークを介して前記複数の端末装置の内の少なくとも一つの端末装置に表示させる表示指令手段を有する、
穴あき問題作成装置。
【発明の詳細な説明】
【技術分野】
【０００１】
本発明は、回答穴の設けられた文章中に、適切な用語を入力することにより正しい文章を完成させることを目的とする穴あき問題を作成することのできる、穴あき問題作成装置に関する。
【０００２】
【背景技術】
【０００３】
従来、通信回線を用いて、文章問題等の問題を回答者に提示し、その回答を採点するシステムなどが知られている（例えば、特許文献１）。
【０００４】
【特許文献１】特開２００５−２７５２５２号公報
【０００５】
【発明の開示】
【発明が解決しようとする課題】
【０００６】
しかし、こうした問題のなかで、空欄の設けられた文章中に、適切な用語を入力することにより正しい文章を完成させることを目的とする、穴あき問題は、暗記トレーニングなどに有効であるが、回答者（トレーニングする者）側で回答穴の位置を自由に設定して活用出来にくいことが多かった。また、問題を作成する側でも、穴あき問題を簡単に自由度の高い形で作ることが出来ることが望まれている。
【０００７】
本発明は、上記した事情に鑑み、穴あき問題を回答穴の位置を自由に設定して作成すること出来る穴あき問題作成装置を提供することを目的とするものである。
【課題を解決するための手段】
【０００８】
請求項１の発明は、通信ネットワーク（１３）を介して複数の端末装置（１５）が接続される穴あき問題作成装置（１）において、
通信ネットワークを介して前記端末装置から送られてくる穴あき問題を作成すべき原文（ＧＢ）を、端末装置の操作者別に格納するメモリ（６）、
前記メモリに原文を登録した操作者に対して、当該原文上で、回答穴（１７）を設定したい場所を指定するように前記端末装置を介して指示する、回答穴設置指示手段（１２）、
前記端末装置が操作されて前記回答穴を設定すべき場所が指定された場合に、当該原文上で、操作者により指定された回答穴の原文上での位置を判定する回答穴位置判定手段（１２）、
前記判定された回答穴の位置に基づいて、原文に対して回答穴を設定して問題（ＱＳ）を作成すると共に、当該回答穴部分に記載されていた文字を、当該回答穴に対する正解データとしてメモリに前記作成された問題と共に操作者別に格納する、問題文加工手段（７）及び、
前記メモリ内に格納された問題文を前記通信ネットワークを介して前記複数の端末装置の内の少なくとも一つの端末装置に表示させる表示指令手段を有して構成される。
【発明の効果】
【０００９】
本発明により、操作者が端末装置を操作して、自分が登録した任意の原文に対して、任意の位置に回答穴を設定して問題文を作成することが出来、自由度の高い穴あき問題の作成が可能となる。
【００１０】
なお、括弧内の番号等は、図面における対応する要素を示す便宜的なものであり、従って、本記述は図面上の記載に限定拘束されるものではない。
【発明を実施するための最良の形態】
【００１１】
以下、図面に基づき、本発明の実施例を説明する。
【００１２】
図１は、本発明が適用される、穴あき問題作成装置の一例がネットワークに接続された状態を示す図、図２は、文章問題の原文の一例を示す図、図３は、図２の原文に回答穴を設定する様子を示す図。図４は、ディスプレイに表示される穴あき問題の一例を示す図。図５は、穴あき問題に対する回答例を示す図。図６は、図５に示した回答例に対する採点結果の表示例を示す図である。
【００１３】
穴あき問題作成装置である、穴あき問題作成採点装置１は、図１に示すように、主制御部２を有しており、主制御部２には、バス線３を介して入出力制御部５，問題文登録メモリ６，問題文加工部７，問題メモリ９，正誤判定部１０，問題進行制御部１１及び問題作成制御部１２などが接続している。穴あき問題作成採点装置１は、入出力制御部５を介して、インターネット、ＬＡＮなどの通信ネットワーク１３に接続しており、通信ネットワーク１３には、携帯端末やパソコンなどの不特定多数の端末装置１５が、穴あき問題作成採点装置１に対して通信ネットワーク１３を介して接続自在に設けられている。
【００１４】
なお、図１に示す穴あき問題作成採点装置１は、当該装置で行う機能をブロック化した形で表現しているが、これらは、通常、ＣＰＵ、主記憶装置、補助記憶装置などを備えたコンピュータに、所定のプログラムを実行させることにより、マルチタスクの形で実行される。即ち、プログラムの指令に基づいてコンピュータが、時分割的に、穴あき問題作成採点装置１を構成する各ブロックに対応する機能を実行する。しかし、図１に示したように、各部に対応したハードウエアを配置して穴あき問題作成採点装置１を構成することも当然可能である。
【００１５】
穴あき問題作成採点装置１は、以上のような構成を有するので、穴あき問題作成採点装置１を用いて、穴あき問題を作成する場合には、問題作成者（操作者）は、まず自分の端末装置１５を操作して通信ネットワーク１３を介して穴あき問題作成採点装置１にログインする。この際、穴あき問題作成採点装置１では、当該ログインしてきた端末装置１５の操作者が、穴あき問題作成採点装置１に登録された真正な操作者であるかを確認するために、適宜なＩＤ、パスワード等の入力を要求する。
【００１６】
適正にログインすることの出来た操作者は、端末装置１５を操作して、まず、自分が作成しようと思う穴あき問題の原文ＧＢを、テキストデータの形で入力し、通信ネットワーク１３を介して穴あき問題作成採点装置１に送る。
【００１７】
穴あき問題作成採点装置１では、入出力制御部５を介して端末装置１５から送られてきた原文ＧＢを、問題文登録メモリ６内に、操作者のＩＤ情報を付加した形で格納する。問題文登録メモリ６内の操作者が穴あき問題作成採点装置１に対して入力した情報は、当該操作者の専用のＩＤホルダに個別に格納され、それらの情報は他の操作者に対しては秘匿されるように、情報管理される。なお、操作者が入力した原文ＧＢは、適宜な時点で又は操作者の端末装置１５からの要求により穴あき問題作成採点装置１側から、再度操作者の端末装置１５へ出力され、そのディスプレイ１６上に、図２に示すように表示される。なお、原文ＧＢを穴あき問題作成採点装置１へ登録した直後には、端末装置１５にいまだ原文ＧＢが表示されたままなので、穴あき問題作成採点装置１は、問題文登録メモリ６に登録された原文ＧＢと端末装置１５に表示された原文ＧＢとの一致を、その操作者のＩＤ情報と共に取って、当該原文ＧＢがそのままディスプレイ１６に表示される。
【００１８】
こうして、操作者は、原文ＧＢを入力した後に、端末装置１５を操作して、穴あき問題作成採点装置１に対して、これから穴あき問題の作成を行う旨の問題作成開始信号Ｓ１を出力する。これを受けて、穴あき問題作成採点装置１の主制御部２は、問題作成制御部１２に対して、問題作成開始信号Ｓ１が出力された端末装置１５に対して問題作成制御を開始するように指令する。なお、前述した原文ＧＢの端末装置１５から穴あき問題作成採点装置１へ入力する作業は、これから述べる穴あき問題作成作業とは、別の時点で行っても良い。即ち、操作者が予め多数の原文ＧＢをまとめて端末装置１５から穴あき問題作成採点装置１の問題文登録メモリ６に、自己のＩＤ情報と共に登録しておく。そして、当該操作者が穴あき問題の作成を開始する際に、穴あき問題作成採点装置１にログインして、自己のＩＤ情報が付された、即ち、自分が登録した原文ＧＢを読み出して、その中からこれから問題を作成する原文ＧＢを選択して、端末装置１５にダウンロードして表示させるようにしても良い。
【００１９】
いずれにせよ、操作者が穴あき問題を作成出来る原文ＧＢは、当該操作者が登録した原文ＧＢのみであり、他の操作者が登録した問題文登録メモリ６内の原文ＧＢに対してはアクセス出来ず、穴あき問題を作成することは出来ないように制御される。
【００２０】
穴あき問題の作成に際して、問題作成制御部１２は、通信ネットワーク１３を介して端末装置１５に対して、ディスプレイ１６に表示された原文ＧＢ上で、回答穴１７を設定したい場所を、カーソルなどの表示指令手段を用いて指定するように、ディスプレイ１６上にテキストの形で（また、端末装置１５のスピーカなどを用いた音声などによる指示でもよい）指示する。操作者は、該指示を受けて、マウスなどを適宜操作して、図３に示すように、ディスプレイ１６に表示される原文ＧＢに対して、回答穴１７を設定したい場所（文章の一部分）を、アンダーラインや領域指定などの形で指定する。
【００２１】
操作者による領域指定が完了し、原文ＧＢ上で、回答穴１７を設定したい場所が指定されたところで、操作者は端末装置１５を操作して、設定完了信号Ｓ２を通信ネットワーク１３を介して穴あき問題作成採点装置１に出力する。これを受けて、問題作成制御部１２は、端末装置１５に表示された原文ＧＢのデータを取り込み（操作者が端末装置１５を操作して、原文ＧＢのデータを穴あき問題作成採点装置１に出力する形でも可）、当該原文ＧＢ上で、操作者により指定された回答穴１７の原文ＧＢ上での位置を判定する。
【００２２】
操作者により指定された回答穴１７の原文ＧＢ上での位置が判定されると、その判定結果を問題文加工部７に出力し、問題文加工部７に対して問題文の作成を指令する。問題文加工部７はこれを受けて、図４に示すように、操作者により指定された部分、即ち設置位置が判定された部分に空白の長方形の図形から構成される回答穴１７を設定すると共に、当該回答穴１７部分に記載されていた文字を、当該回答穴１７に対する正解データＤＴとして当該回答穴１７と関連付ける処理を行う。こうした処理を、操作者が指定した回答穴１７の数だけ行って、原文ＧＢに操作者が指定した数の回答穴１７が、操作者が指定した位置に設定され、問題ＱＳが作成される。こうして、当該作成された問題ＱＳ及び各回答穴１７に対応する正解データＤＴを、問題メモリ９に操作者のＩＤ情報と共に格納する。
【００２３】
こうして、操作者により問題ＱＳが作成され、問題メモリ９に格納されると、操作者による問題の作成作業は終了する。
【００２４】
次に、問題を回答者に対して提示して試験を受けさせる場合には、穴あき問題作成採点装置１の問題進行制御部１１を介して、回答者が操作する各端末装置１５に対して、問題メモリ９に格納された問題ＱＳを、通信ネットワーク１３を介してそれぞれ出力し、図４に示すように、各端末装置１５のディスプレイ１６上に表示させる。この際、問題進行制御部１１は、端末装置１５のディスプレイ１６に、「端末装置１５を操作して、回答穴１７に対して回答を入力するように」促す表示を行い、回答者は、端末装置１５を操作して、図５に示すように、問題ＱＳの各回答穴１７に正解と思われる回答ＡＳを入力する。
【００２５】
回答ＡＳの入力が終了したところで、回答者が入力終了信号Ｓ３を穴あき問題作成採点装置１に出力すると、主制御部２は、正誤判定部１０に対して、問題ＱＳの採点を行うように指令する。
【００２６】
これを受けて、正誤判定部１０は、回答者の操作する端末装置１５から、回答者が回答ＡＳを記入した問題ＱＳを通信ネットワーク１３を介して取り込み（回答者が端末装置１５を操作して、回答ＡＳを記入した問題ＱＳを穴あき問題作成採点装置１に出力する形でも可）、当該回答ＡＳを記入した問題ＱＳを採点する。採点は、問題メモリ９に格納された対応する問題ＱＳの正解データＤＴと、回答者により各回答穴１７に記入された回答ＡＳを比較し、一致するものは「正解」とし、一致しないものは「不正解」とする採点処理を行い、その結果を、回答者の端末装置１５のディスプレイ１６に、図６に示すように表示する。この際、一緒に、全体の回答穴１７数に対する正解の割合を「点数」として、表示しても良い。更に、各回答穴１７における「正解」と「不正解」を、図６に示すように、「丸」や「バツ」などの記号で表示しても良い。
【００２７】
なお、穴あき問題作成採点装置１に対して、穴あき問題を作成する場合や穴あき問題を受験する（解く）ばあいになどにおいて、端末装置１５側では、穴あき問題作成採点装置１からの指示に応じて、問題の原文ＧＢを入力したり、回答を入力したりするだけで、具体的な問題ＱＳの作成や、回答穴１７の設定、採点などすべての処理は穴あき問題作成採点装置１側で行うので、端末装置１５側には特別なソフトウエアが不要であり、市販されているパソコンや携帯電話など、文字情報を通信ネットワーク１５上に送出することが出来る装置であれは、どのような装置でも特別なソフトウエアのダウンロードを行うことなく直ちに使用可能である。
【００２８】
なお、回答者と操作者が同一人物であることを阻害しないので、自己の記憶力の鍛錬ために、または学習のために、自分で穴あき問題を作成して、自分で問題に回答するように装置を使用することも当然可能である。
【産業上の利用可能性】
【００２９】
本発明は、教育現場などで、穴あき問題を作成する際に利用することが出来る。
【図面の簡単な説明】
【００３０】
【図１】図１は、本発明が適用される、穴あき問題作成装置の一例がネットワークに接続された状態を示す図。
【図２】図２は、文章問題の原文の一例を示す図。
【図３】図３は、図２の原文に回答穴を設定する様子を示す図。
【図４】図４は、ディスプレイに表示される穴あき問題の一例を示す図。
【図５】図５は、穴あき問題に対する回答例を示す図。
【図６】図６は、図５に示した回答例に対する採点結果の表示例を示す図である。
【符号の説明】
【００３１】
１……穴あき問題作成装置（穴あき問題作成採点装置）
６……メモリ
７……問題文加工手段（問題文加工部）
１２……回答穴設置指示手段、回答穴位置判定手段（問題作成制御部）
１３……ネットワーク
１５……端末装置
１７……回答穴
ＧＢ……原文
ＱＳ……問題
【図１】
2008040350.tif 000003
【図２】
2008040350.tif 000004
【図３】
2008040350.tif 000005
【図４】
2008040350.tif 000006
【図５】
2008040350.tif 000007
【図６】
2008040350.tif 000008